(57)【要約】【課題】スピーカからの音を好適に電子機器外部に放出することができる電子機器を提供する。【解決手段】スピーカと、前記スピーカが配設された筐体と、前記筐体を覆うフレームと、を備える電子機器であって、前記筐体と前記フレームにより貫通孔が形成され、前記スピーカの音出力面、又は前記スピーカからの音を前記筐体外部に放出する放音孔は、前記筐体の前記貫通孔部分に有し、前記貫通孔の一方側にある第１開口から放出される音と、前記貫通孔の他方側にある第２開口から放出される音とは異なる向きに放出されることを特徴とする。【選択図】図３
2014165515.tif 000002
【特許請求の範囲】
【請求項１】
スピーカと、
前記スピーカが配設された筐体と、
前記筐体を覆うフレームと、を備える電子機器であって、
前記筐体と前記フレームにより貫通孔が形成され、
前記スピーカの音出力面、又は前記スピーカからの音を前記筐体外部に放出する放音孔は、前記筐体の前記貫通孔部分に有し、
前記貫通孔の一方側にある第１開口から放出される音と、前記貫通孔の他方側にある第２開口から放出される音とは異なる向きに放出されることを特徴とする電子機器。
【発明の詳細な説明】
【技術分野】
【０００１】
本発明は、スピーカを有する電子機器に関する。
【背景技術】
【０００２】
携帯電話等の電子機器において、スピーカを有するタイプが存在する。例えば、装置内部に設けられ音を出力する発音体と、前記発音体の発音部の前面に設けられ前記発音体から拡散した音を装置外部に出力する第１の音孔と、前記発音体から拡散した音を前記第１の音孔から離隔した位置に出力する第２の音孔と、を具備したことを特徴とする電話装置が知られている（特許文献１参照）
【先行技術文献】
【特許文献】
【０００３】
【特許文献１】特開２００７−１５０３９３号公報
【発明の概要】
【発明が解決しようとする課題】
【０００４】
特許文献１に記載された電話装置は、発音体から拡散した音を装置外部に出力する第 1の音孔と第２の音孔を有するものの、共に電話装置の正面に有するものであり、電話装置の正面が机等に面するように置かれた場合、ユーザは電話装置から放出される音を聞き逃してしまうというおそれがあった。
【０００５】
したがって、本発明は上記した課題を解決するためになされたものであり、スピーカからの音を好適に電子機器外部に放出することができる電子機器を提供することを目的とする。
【課題を解決するための手段】
【０００６】
上記した課題を解決するために本発明の第１の観点の電子機器は、スピーカと、前記スピーカが配設された筐体と、前記筐体を覆うフレームと、を備える電子機器であって、前記筐体と前記フレームにより貫通孔が形成され、前記スピーカの音放出面、又は前記スピーカからの音を前記筐体外部に放出する放音孔が、前記筐体の前記貫通孔部分に形成され、前記貫通孔の一方側にある第１開口から放出される音と、前記貫通孔の他方側にある第２開口から放出される音とは異なる向きに放出されることを特徴とする。
【発明の効果】
【０００７】
本発明によれば、スピーカからの音を好適に電子機器外部に放出することができる。
【図面の簡単な説明】
【０００８】
【図１】携帯電話１の外観を示す正面図である。
【図２】携帯電話１の外観を示す背面図である。
【図３】携帯電話１の外観を示す上面斜視図である。
【図４】携帯電話１の外観を示す下面斜視図である。
【図５】図２のＡ−Ａ線断面に対応する概略断面図である。
【図６】ディスプレイ４ａに電話アプリケーションに基づくＧＵＩを表示した場合における携帯電話１の正面図である。
【図７】ディスプレイ４ａに文字入力アプリケーションに基づくＧＵＩを表示した場合における携帯電話１の正面図である。
【発明を実施するための形態】
【０００９】
以下、本発明に係る電子機器を携帯電話１に適用した場合の実施形態について、図面を参照しながら説明する。なお、本発明に係る電子機器は、携帯電話以外にもタブレット装置等、スピーカを有する種々の機器に適用可能である。
【００１０】
まず、本実施形態における携帯電話１の全体構成について説明する。図１は、携帯電話１の外観を示す正面図である。図１に示すとおり、携帯電話１は、後述する筐体２を覆うフレーム３、タッチスクリーンディスプレイ４、サイドタッチスクリーン５ａ、５ｂ、イヤフォンジャック６、テザリングキー７を有する。
【００１１】
フレーム３は、筐体２を覆い携帯電話１が落下した際等に、筐体２及び筐体２内部に有する各種のモジュール等の損傷を防ぐ。フレーム３は、携帯電話１の正面側においては、筐体２を上端及び下端で覆う。タッチスクリーンディスプレイ４は、携帯電話１の正面側に配設されている。タッチスクリーンディスプレイ４は、ディスプレイ４ａと、メインタッチスクリーン４ｂとを有する。ディスプレイ４ａは、液晶ディスプレイ、有機ＥＬパネル、又は無機ＥＬパネル等の表示デバイスにより構成される。ディスプレイ４ａは、文字及び図形等の画像を表示することができる。ディスプレイ４ａは、メインタッチスクリーン４ｂに対して携帯電話１の内側に配置される。メインタッチスクリーン４ｂは、タッチスクリーンディスプレイ４に対する指、又はスタイラスペン等の接触を検出する。メインタッチスクリーン４ｂは、複数の指、又はスタイラスペン等がタッチスクリーンディスプレイ４に接触した位置及び／又はジェスチャーを検出することができる。メインタッチスクリーン４ｂの検出方式は、静電容量方式、抵抗膜方式、表面弾性波方式（又は超音波方式）、赤外線方式、電磁誘導式、及び荷重検出方式等の任意の方式でよい。
【００１２】
サイドタッチスクリーン５ａ、５ｂは、携帯電話１の両側面に配設される。サイドタッチスクリーン５ａ、５ｂは、指、又はスタイラスペン等の接触を検出する。サイドタッチスクリーン５ａ、５ｂは、複数の指、又はスタイラスペン等がサイドタッチスクリーン５ａ、５ｂに接触した位置及び／又はジェスチャーを検出することができる。サイドタッチスクリーン５ａ、５ｂの検出方式は、静電容量方式、抵抗膜方式、表面弾性波方式（又は超音波方式）、赤外線方式、電磁誘導式、及び荷重検出方式等の任意の方式でよい。サイドタッチスクリーン５ａ、５ｂは、ディスプレイ４ａに表示されるオブジェクトに対する入力処理（選択処理、実行処理）に利用することができる。例えば、携帯電話１は、ディスプレイ４ａの右端にオブジェクトが表示された状態で、当該オブジェクトに隣接するサイドタッチスクリーン５ａの位置が指等によりタッチされると、サイドタッチスクリーン５ａによる当該位置の検出に基づきディスプレイ４ａの右端に表示されたオブジェクトに関連付けられた処理を実行することができる。なお、携帯電話１は、図示しない押圧検出部９を有し、サイドタッチスクリーン５ａ、５ｂに対する押圧（押圧力）を検出することができる。押圧検出部９は、歪みゲージや圧電素子などによって構成される。また、携帯電話１は、図示しない触感呈示部１０を有し、サイドタッチスクリーン５ａ、５ｂに接触している指等に振動等に基づく触感を呈示することができる。触感呈示部１０は、圧電素子や偏芯モータによって構成される。
【００１３】
イヤフォンジャック６は、筐体２の下部に配設されている。イヤフォンジャック６は、外付けイヤフォンのイヤフォンプラグに接続される。携帯電話１は、イヤフォンジャック６にイヤフォンプラグが接続されると、外付けイヤフォンに携帯電話１により再生される音楽等を出力する。
【００１４】
テザリングキー７は、筐体２の下部に配設されている。携帯電話１は、テザリングキー７によりテザリング機能のＯＮ／ＯＦＦ制御を行う。携帯電話１は、テザリングキー７によりテザリング機能がＯＮになると、無線ＬＡＮやＢｌｕｅｔｏｏｔｈ（登録商標）等の近距離無線通信により他の電子機器と接続し、当該他の電子機器が携帯電話１の通信機能を利用してインターネット等のネットワークに接続することができるようにする。
【００１５】
図２は、携帯電話１の外観を示す背面図である。図２に示すとおり、携帯電話１は、筐体２、撮像部１１を有する。
【００１６】
筐体２は、フレーム３により覆われている。携帯電話１の背面側において、フレーム３は、筐体２を上端、下端、右端及び左端で覆っている。図２に示すとおり、本明細書においては、携帯電話１の背面側において、筐体２の上端を覆っているフレーム３の部分を、背面上部フレーム３ａとする。また、本明細書においては、携帯電話１の背面側において、筐体２の上端を覆っているフレーム３の部分を、背面下部フレーム３ｂとする。
【００１７】
筐体２内部には、種々のモジュール、回路基板、バッテリー、制御部８等が含まれている。制御部８は、ディスプレイ４ａの表示制御や、メインタッチスクリーン４ｂによる検出結果に基づく制御等、携帯電話１の制御全般を行う。
【００１８】
撮像部１１は、筐体２に配設され、筐体２から突出している。筐体２を覆う背面上部フレーム３ａには、筐体２から突出している撮像部１１が配置されている部分では、円形状の開口が形成されている。したがって、背面上部フレーム３ａが撮像部１１による被写体の撮像を遮るようなことはない。
【００１９】
また、フレーム３には、図２に示すとおり、携帯電話１の背面側において、撮像部１１が配置されている部分に形成されている開口の他に、この開口より携帯電話１の下部側に（携帯電話１の中央部において）略方形状の開口が更に形成されており、筐体２が携帯電話１の外部から視認可能な状態になっている。
【００２０】
図３は、携帯電話１の外観を示す上面斜視図である。図３に示すとおり、携帯電話１は、電源キー１２及び放音孔１３ａ、１３ｂを有する。電源キー１２は、携帯電話の電源のＯＮ／ＯＦＦを制御する際に用いられるキーである。なお、電源キー１２は、携帯電話のスリープ／スリープ解除を制御する際に用いられるものであってもよい。放音孔１３ａ、１３ｂは、筐体２に形成された孔であり、筐体２内部に配設されたスピーカ１４ａ、１４ｂからの音を携帯電話１外部に放出するためのものである。
【００２１】
図４は、携帯電話１の外観を示す下面斜視図である。図３及び図４に示すとおり、携帯電話１は、背面側において、筐体２と背面上部フレーム３ａとから貫通孔１５ａが形成される。ここで、本明細書においては、この貫通孔１５ａの一方側（図３に示す携帯電話１の上部側、つまり筐体２のうち、電源キーが配設されている側）の開口を第１開口１６として説明する。また、本明細書においては、この貫通孔１５ａの他方側（図４に示す携帯電話１の下部側、つまり筐体２のうち、テザリングキーが配設されている側）の開口を第２開口１７として説明する。
【００２２】
図３及び図４に示すとおり、放音孔１３ａ、１３ｂは、筐体２の貫通孔１５ａ部分に形成される。したがって、放音孔１３ａ、１３ｂから放出されたスピーカ１４ａ、１４ｂからの音は、貫通孔１５ａを通り、第１開口１６及び第２開口１７からそれぞれ放出される。第１開口１６から放出される音は、携帯電話１の上部側に向かって放出される。また、第２開口１７から放出される音は、携帯電話１の下部側に向かって放出される。このように、第１開口から放出される音と、第２開口から放出される音とは異なる向きに放出されるので、スピーカ１４ａ、１４ｂからの音を好適に携帯電話１外部に放出することができる。例えば、携帯電話１の背面が机に面するように置かれたとしても、第１開口及び第２開口から音が好適に放出される。また、例えば、携帯電話１の上面（電源キー１２を有する面）が机に面するように置かれたとしても、第２開口から音が好適に放出される。
【００２３】
また、図３及び図４に示すとおり、携帯電話１は、背面側において、筐体２と背面下部フレーム３ｂとから貫通孔１５ｂが形成される。貫通孔１５ａ、１５ｂは、携帯電話１にストラップを取り付けるためのストラップホールとして利用することができる。携帯電話１には、携帯電話１の上部及び下部にストラップホールがあるので、ユーザは、ストラップを携帯電話１の上部又は下部に取り付けることができる。また、携帯電話１の上部にある貫通孔１５ａをストラップホールとして利用する場合、貫通孔１５ａには、貫通孔１５ａの中央部分に筐体２から突出し、背面上部フレーム３ａまで貫通している撮像部１１があるので、撮像部１１に引っ掛けるようにストラップを取り付けることもできる。
【００２４】
また、図３及び図４に示すとおり、背面上部フレーム３ａは、筐体２から突出している撮像部１１の高さ分だけ、筐体２から離れて形成されている。つまり、貫通孔１５ａにおいて、筐体２から背面上部フレーム３ａまでの長さは、筐体２から突出している撮像部１１の高さ分と等しい（背面上部フレーム３ａの厚みを除く）。したがって、撮像部１１は、筐体２からは突出しているが、背面上部フレーム３ａからは突出していないので、撮像部１１の側部に対して衝撃が加わるおそれを低減することができる。
【００２５】
図５は、図２のＡ−Ａ線断面に対応する概略断面図である。図５においては、筐体２内部のモジュール等は、スピーカ１４ａ、１４ｂ以外は省略している。図５に示すとおり、携帯電話１は、スピーカ１４ａ、１４ｂを有する。スピーカ１４ａ、１４ｂは、携帯電話１の背面側に音を放出する音放出面を有する。また、スピーカ１４ａ、１４ｂの音放出面の前面には、放音孔１３ａ、１３ｂが形成される。スピーカ１４ａ、１４ｂからの音は、放音孔１３ａ、１３ｂを介して携帯電話１外部に放出される。
【００２６】
図６は、ディスプレイ４ａに電話アプリケーションに基づくＧＵＩを表示した場合の携帯電話１の正面図である。携帯電話１は、他の携帯電話等から着信があった場合、着信に関するＧＵＩをディスプレイ４ａに表示する。携帯電話１は、着信に関するＧＵＩとして図６に示すＧＵＩをディスプレイ４ａに表示する。着信に関するＧＵＩには、図６に示すとおり、着信に応答するためのオブジェクト１８ａ、着信を拒否するためのオブジェクト１８ｂ、相手の電話番号などが表示される。
【００２７】
ここで、ユーザが着信に応答することを希望する場合、ユーザは着信に応答するためのオブジェクト１８ａが表示されているディスプレイ４の位置に隣接するサイドタッチスクリーン５ａの位置をタッチする。携帯電話１は、サイドタッチスクリーン５ａが、オブジェクト１８ａが表示されているディスプレイ４の位置に隣接するサイドタッチスクリーン５ａの位置のタッチを検出すると、図示しない通信部及び音声出入力部によって、他の携帯電話との通話を開始するように制御する。また、携帯電話１は、サイドタッチスクリーン５ａが当該タッチを検出すると、サイドタッチスクリーン５をタッチしている指等に触感を呈示するために、触感呈示部１０を制御する。当該制御に基づき、例えば、触感呈示部１０は、サイドタッチスクリーン５ａを振動させる。
【００２８】
図７は、ディスプレイ４ａに文字入力アプリケーションに基づくＧＵＩを表示した場合における携帯電話１の正面図である。ディスプレイ４ａに文字入力アプリケーションに基づくＧＵＩを表示した場合、図７に示すように、ディスプレイ４ａの右端に「あ」から「わ」までが表示される。ユーザは、文字入力を行う場合、サイドタッチスクリーン５ａをタッチすることによって、所望の文字を選択する。たとえば、ユーザが「み」を入力したい場合、ユーザは、ディスプレイ４ａに表示されている「ま」の位置に隣接するサイドタッチスクリーン５ａの位置をタッチする。ユーザが「ま」に対応する位置をタッチすると、携帯電話１は、「ま」に係るオブジェクトに対応付けられた文字（例えば、「ま」と子音が同一で、母音が異なる文字）をディスプレイ４ａに表示する。この場合、例えば、携帯電話１は、「ま」「み」「む」「め」「も」に係るオブジェクトを表示する。その後、ユーザは、サイドタッチスクリーン５ａに対する押圧力を大きくする。携帯電話１は、サイドタッチスクリーン５ａに対する押圧を検出する押圧検出部９により、ユーザがサイドタッチスクリーン５ａに加えた押圧力の大きさを判別することができる。ユーザが、サイドタッチスクリーン５ａに対する押圧力を大きくするに従い、「ま」「み」「む」「め」「も」の順に入力すべき文字の選択が変更される。ユーザが、サイドタッチスクリーン５ａに対する押圧力を調整することにより、「み」に対応付けられた押圧力と等しい押圧力を加えることにより、「み」が選択される。なお、携帯電話１は、選択した「み」を入力する場合、例えば、「み」に対応付けられた押圧力と等しい押圧力を所定時間加えると、「み」を入力してもよい。また、携帯電話１は、選択した「み」を入力する場合、例えば、サイドタッチスクリーン５ａが検出している位置が変移したら、「み」を入力してもよい。また、携帯電話１は、ユーザは、ディスプレイ４ａに表示されている「ま」の位置に隣接するサイドタッチスクリーン５ａの位置をタッチした後、タッチした指等が離されるまでの間に、または押圧検出部９により検出される押圧力が０以上に大きくなった後に再び０になるまでの間に検出される最大の押圧力が「み」に対応付けられた押圧力と等しい場合、「み」を入力してもよい。
【００２９】
なお、携帯電話１は、ディスプレイ４ａに文字や画像を表示する場合、ディスプレイ４ａに表示する文字や画像の表示方向を変更することができる。例えば、携帯電話１は、携帯電話１の正面向かって上側を文字や画像を表示する際の表示上の上側にできるし、携帯電話１の正面向かって左側を文字や画像を表示する際の表示上の上側にできる。したがって、携帯電話１が、小型であった場合でも、満員電車や会議中でもメッセージやスケジュールを場合に応じて好適にチェックすることができる。
【００３０】
また、携帯電話１は、撮像部１１による撮像を行う際、サイドタッチスクリーン５又は５ｂを利用して、シャッターを切ることができる。例えば、携帯電話１は、撮影アプリケーションを起動した際に、サイドタッチスクリーン５ａ又は５ｂがサイドタッチスクリーン５ａ又は５ｂに対するタッチを検出すると、または、サイドタッチスクリーン５ａ又は５ｂに対する所定の基準を満たす押圧を押圧検出部９が検出すると、シャッターを切る（写真を撮る、撮像部１１を介して静止画像を記録する）ことができる。
【００３１】
また、携帯電話１は、撮像部１１による撮影を行う際、携帯電話１の上部側（筐体２のうち電源キー１２を有する側）の面の垂線を水平にして撮像を行うことができる。携帯電話１の背面下部フレーム３ｂ部分は、携帯電話１の背面側中央部分と比較して突出しているため、ユ携帯電話１の上部側を水平にして撮像を行う際に、ユーザが携帯電話１を握ると背面下部フレーム３ｂ部分に指がかかり、確実に携帯電話１を固定することができ、ブレのない画像を取得することができる。
【００３２】
なお、本実施形態においては、筐体２に放音孔１３ａ、１３ｂを形成した携帯電話１について説明したが、本発明はこれに限定されず、筐体２に放音孔１３ａ、１３ｂを形成することなく、スピーカ１４ａ、１４ｂの音放出面が、筐体２の貫通孔１５ａ部分に形成されるように構成してもよい。この場合、例えばスピーカ１４ａ、１４ｂの音放出面が筐体２外部に露出しているように構成してもよい。
【００３３】
また、本実施形態においては、筐体２を覆う背面上部フレーム３ａには、筐体２から突出している撮像部１１が配置されている部分では、円形状の開口が形成されているが、この開口から、スピーカ１４ａ、１４ｂからの音が放出されるように、背面上部フレーム３ａと撮像部１１の間に隙間が生じるように開口を形成してもよい。
【符号の説明】
【００３４】
１  携帯電話（電子機器）
２  筐体
３  フレーム
３ａ  背面上部フレーム、
３ｂ  背面下部フレーム
４  タッチスクリーンディスプレイ
４ａ  ディスプレイ
４ｂ  メインタッチスクリーン
５ａ、５ｂ  サイドタッチスクリーン
６  イヤフォンジャック
７  テザリングキー
８  制御部
９  押圧検出部
１０  触感呈示部
１１  撮像部
１２  電源キー
１３ａ、１３ｂ  放音孔
１４ａ、１４ｂ  スピーカ
１５ａ、１５ｂ  貫通孔
１６  第１開口
１７  第２開口
１８ａ  着信に応答するためのオブジェクト
１８ｂ  着信を拒否するためのオブジェクト
【図１】
2014165515.tif 000003
【図２】
2014165515.tif 000004
【図３】
2014165515.tif 000005
【図４】
2014165515.tif 000006
【図５】
2014165515.tif 000007
【図６】
2014165515.tif 000008
【図７】
2014165515.tif 000009